(57)【要約】      （修正有）【課題】簡易に映像を生成し、投影することができる映像投影システムを提供する。【解決手段】映像投影システム１は、映像を生成する映像生成部２０、および、映像を投影する投影部３０を備える。映像生成部２０は、投影部３０の投影可能領域Ｚ１内に位置する画像Ｍ１に対応する画像データを記憶する記憶部と、画像データの制御パラメータを含む照明制御信号ｓ１を受け付ける受付部と、照明制御信号ｓ１に基づいて画像データを編集することで、編集後の画像データを生成する編集部と、編集後の画像データを含む映像信号ｓ２を投影部３０に出力する出力部とを備える。【選択図】図２
2020162077.tif 000002
【特許請求の範囲】
【請求項１】
映像を生成する映像生成部、および、前記映像を投影する投影部を備える映像投影システムであって、
前記映像生成部は、
前記投影部の投影可能領域内に位置する画像に対応する画像データを記憶する記憶部と、
前記画像データの制御パラメータを含む照明制御信号を受け付ける受付部と、
前記照明制御信号に基づいて前記画像データを編集することで、編集後の画像データを生成する編集部と、
前記編集後の画像データを含む映像信号を前記投影部に出力する出力部と
を備える映像投影システム。
【請求項２】
前記制御パラメータは、前記画像の投影位置、色および明るさに関する情報を含む
請求項１に記載の映像投影システム。
【請求項３】
前記受付部は、前記照明制御信号として、規格化されたＤＭＸ（登録商標：Ｄｉｇｉｔａｌ  Ｍｕｌｔｉｐｌｅ  Ｘ）信号を受け付ける
請求項１または２記載の映像投影システム。
【請求項４】
前記出力部は、前記映像信号として、規格化されたＨＤＭＩ（登録商標：Ｈｉｇｈ  Ｄｅｆｉｎｉｔｉｏｎ  Ｍｕｌｔｉｍｅｄｉａ  Ｉｎｔｅｒｆａｃｅ）信号を出力する
請求項１〜３のいずれか１項に記載の映像投影システム。
【請求項５】
前記編集部は、前記編集後の画像データを前記記憶部に記憶させる
請求項１〜４のいずれか１項に記載の映像投影システム。
【請求項６】
前記投影部は、第１の筐体に設けられ、
前記映像生成部は、前記第１の筐体と異なる第２の筐体に設けられている
請求項１〜５のいずれか１項に記載の映像投影システム。
【請求項７】
前記投影部および前記映像生成部は、１つの筐体に設けられている
請求項１〜５のいずれか１項に記載の映像投影システム。
【請求項８】
前記記憶部は、複数の前記画像データを記憶し、
前記受付部は、複数の前記画像データの制御パラメータを含む照明制御信号を受け付け、
前記編集部は、前記照明制御信号に基づいて複数の前記編集後の画像データを生成した後、複数の前記編集後の画像データを合成することで合成画像データを生成し、
前記出力部は、前記合成画像データを含む映像信号を前記投影部に出力する
請求項１〜７のいずれか１項に記載の映像投影システム。
【請求項９】
さらに、前記照明制御信号を前記受付部に送信する操作装置を備える
請求項１〜８のいずれか１項に記載の映像投影システム。
【請求項１０】
投影装置で投影する映像を生成する映像生成装置であって、
前記投影装置の投影可能領域内に位置する画像に対応する画像データを記憶する記憶部と、
前記画像データの制御パラメータを含む照明制御信号を受け付ける受付部と、
前記照明制御信号に基づいて前記画像データを編集することで、編集後の画像データを生成する編集部と、
前記編集後の画像データを含む映像信号を前記投影装置に出力する出力部と
を備える映像生成装置。
【発明の詳細な説明】
【技術分野】
【０００１】
本発明は、映像を投影する映像投影システム、および、映像を生成する映像生成装置に関する。
【背景技術】
【０００２】
従来、舞台またはスタジオ等にて演出を行うために使用される映像投影システムが知られている。この種の映像投影システムでは、投影する映像を自由に変えることができるプロジェクタなどの投影装置が用いられる（例えば、特許文献１参照）。
【先行技術文献】
【特許文献】
【０００３】
【特許文献１】国際公開第２０１７／０３３３８６号
【発明の概要】
【発明が解決しようとする課題】
【０００４】
しかしながら、プロジェクタを用いて映像を投影するためには、事前に綿密な映像データを作成する必要があり、映像データを作成するのに労力を要するという問題がある。
【０００５】
本発明は、このような課題を解決するためになされたものであり、簡易に映像を生成し、投影することができる映像投影システム等を提供することを目的とする。
【課題を解決するための手段】
【０００６】
本発明の一態様に係る映像投影システムは、映像を生成する映像生成部、および、前記映像を投影する投影部を備える映像投影システムであって、前記映像生成部は、前記投影部の投影可能領域内に位置する画像に対応する画像データを記憶する記憶部と、前記画像データの制御パラメータを含む照明制御信号を受け付ける受付部と、前記照明制御信号に基づいて前記画像データを編集することで、編集後の画像データを生成する編集部と、前記編集後の画像データを含む映像信号を前記投影部に出力する出力部とを備える。
【０００７】
本発明の一態様に係る映像生成装置は、投影装置で投影する映像を生成する映像生成装置であって、前記投影装置の投影可能領域内に位置する画像に対応する画像データを記憶する記憶部と、前記画像データの制御パラメータを含む照明制御信号を受け付ける受付部と、前記照明制御信号に基づいて前記画像データを編集することで、編集後の画像データを生成する編集部と、前記編集後の画像データを含む映像信号を前記投影装置に出力する出力部とを備える。
【発明の効果】
【０００８】
本発明の映像投影システムは、簡易に映像を生成し、投影することができる。
【０００９】
本発明の映像生成装置は、簡易に映像を生成することができる。
【図面の簡単な説明】
【００１０】
【図１】実施の形態１に係る映像投影システムの使用例を示す図である。
【図２】実施の形態１に係る映像投影システムを示す概略図である。
【図３】実施の形態１に係る映像投影システムおよび映像投影システムが備える映像生成部を示すブロック図である。
【図４】実施の形態１に係る映像生成部にて処理される画像データおよび投影部から投影される画像を示す図である。
【図５】実施の形態１に係る映像投影システムの投影部から投影される画像の一例を示す図である。
【図６】実施の形態１に係る映像生成部にて画像データが編集される様子を模式的に示す図である。
【図７】実施の形態１に係る映像生成部にて処理される画像データの制御パラメータを示す図である。
【図８】実施の形態１の変形例に係る映像投影システムを示す概略図である。
【図９】実施の形態２に係る映像投影システムを示す概略図である。
【図１０】実施の形態２に係る映像投影システムを示すブロック図である。
【図１１】実施の形態２の変形例に係る映像投影システムを示す概略図である。
【発明を実施するための形態】
【００１１】
以下、実施の形態について、図面を参照しながら具体的に説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
以下、本発明の実施の形態に係る映像投影システム等について説明する。
【００１４】
（実施の形態１）
［１−１．映像投影システムの構成］
まず、本実施の形態に係る映像投影システムの構成について、図１〜図７を参照しながら説明する。
【００１５】
図１は、実施の形態１に係る映像投影システム１の使用例を示す図である。図２は、映像投影システム１を示す概略図である。なお、図１および図２には、映像投影システム１の他に操作装置１０も示されている。
【００１６】
図１に示すように、映像投影システム１は、舞台またはスタジオ等にて演出を行うための映像（画像）を投影するシステムである。操作装置１０は、映像投影システム１を操作するための装置である。例えば、映像投影システム１は、舞台の天井等に設置され、操作装置１０は、舞台と異なる場所の調光室または映写室に配置される。
【００１７】
図２に示すように、映像投影システム１は、映像生成部２０および投影部３０を備えている。映像生成部２０は、イーサネット（登録商標）Ｎによって操作装置１０に接続されている。また、映像生成部２０および投影部３０は、ＨＤＭＩ（登録商標：Ｈｉｇｈ  Ｄｅｆｉｎｉｔｉｏｎ  Ｍｕｌｔｉｍｅｄｉａ  Ｉｎｔｅｒｆａｃｅ）ケーブルなどの通信ケーブル４０によって互いに接続されている。投影部３０は、第１の筐体５１に設けられ、映像生成部２０は、第１の筐体５１と異なる第２の筐体５２に設けられている。
【００１８】
操作装置１０は、映像投影システム１にて投影する画像の態様を操作する装置である。操作装置１０は、例えばパーソナルコンピュータで構成された調光操作卓であり、タッチパネルなどの表示入力部１１を有している。表示入力部１１には、画像の態様の一例である、画像の位置、色、明るさなどを調整するための操作バー（スライダ）が表示されている。操作装置１０は、操作バーによるユーザの操作入力に応じて、画像を調整する信号である照明制御信号ｓ１をタイムリーに映像投影システム１に送信する。
【００１９】
照明制御信号ｓ１は、例えば、規格化されたＤＭＸ（登録商標：Ｄｉｇｉｔａｌ  Ｍｕｌｔｉｐｌｅ  Ｘ）信号である。照明制御信号ｓ１には、例えば、画像の投影位置、明るさ、色など、画像を変化させるための制御パラメータが含まれている。
【００２０】
映像生成部２０は、操作装置１０から送信された照明制御信号ｓ１に基づいて画像データを編集し、編集後の画像データを含む映像信号ｓ２を投影部３０に出力する。映像生成部２０については後述する。
【００２１】
投影部３０は、投影対象に映像（画像）を投影する投影装置である。投影部３０は、例えばプロジェクタであり、半導体レーザやランプ等の光源、レンズやミラー等の光学系、液晶パネル等の表示素子、および、投射レンズを有している。映像信号ｓ２が投影部３０に入力されると、映像信号ｓ２に応じた画像が投影対象に投射される。図２では、画像が建物の床に投射されているが、投影対象は、床に限られず、壁またはスクリーンであってもよいし、家具などの構造物または動植物であってもよい。
【００２２】
図２に示すように、投影部３０は、矩形状の投影可能領域Ｚ１を有している。なお、投影可能領域Ｚ１は、矩形状に限られず、円形または多角形であってもよいし、３６０°の全方位であってもよい。
【００２３】
投影部３０は、映像生成部２０から出力された映像信号ｓ２に基づいて、投影可能な範囲である投影可能領域Ｚ１内に画像Ｍ１を投影する。画像Ｍ１は、投影可能領域Ｚ１から外にでることなく投影可能領域Ｚ１内に位置している。画像Ｍ１は、映像信号ｓ２に基づいて投影可能領域Ｚ１内を移動したり、色、明るさなどが変化したりする。このように映像投影システム１を用いて画像Ｍ１を投影することで、あたかもムービングライトなどの照明器具から照明光が照射されているような状態を作り出すことができる。
【００２４】
図３は、映像投影システム１および映像投影システム１が備える映像生成部２０を示すブロック図である。
【００２５】
図３に示すように、映像生成部２０は、受付部２１、記憶部２２、編集部２３および出力部２４を備える。映像生成部２０は、各種演算処理を行う処理装置であり、マイクロプロセッサおよびメモリによって構成されている。
【００２６】
図４は、映像生成部２０にて処理される画像データおよび投影部３０から投影される画像Ｍ１を示す図である。
【００２７】
図４の（ａ）には編集前の画像データｄ０、ｄ１が示され、（ｂ）には編集前の画像Ｍ１が示され、（ｃ）には編集後の画像データｄ０、ｄ１が示され、（ｄ）には編集後の画像Ｍ１が示されている。なお、画像データｄ０、ｄ１はデジタルデータであるが、理解を容易にするために図形で示されている。
【００２８】
記憶部２２は、図４の（ａ）に示す画像データｄ０およびｄ１を記憶する。画像データｄ０は、投影可能領域Ｚ１に対応する下地データである。画像データｄ０は、色、明るさおよび模様などの特徴データを有していないが、場合によっては投影対象の素地と同じ色、明るさおよび模様を有していてもよい。画像データｄ１は、投影部３０から投影される画像Ｍ１（図４の（ｂ）参照）に対応するパターンを有するパターン画像データである。画像データｄ１は、画像データｄ０内すなわち投影可能領域Ｚ１内に存在し、画像データｄ０上に重畳される。画像データｄ１は、映像投影システム１の起動時において予め決められたデータに設定される。
【００２９】
受付部２１は、操作装置１０から送信された照明制御信号ｓ１を受け付ける。この照明制御信号ｓ１には、画像データｄ１の制御パラメータに関する情報が含まれている。
【００３０】
編集部２３は、照明制御信号ｓ１に基づいて画像データｄ１の制御パラメータを変更して画像データｄ１を編集することで、編集後の画像データｄ１（図４の（ｃ）参照）を生成する。また、編集部２３は、編集後の画像データｄ１を記憶部２２に記憶させる。記憶部２２に記憶された編集後の画像データｄ１は、次の編集後の画像データｄ１を生成する際の元の画像データ（編集前の画像データｄ１）として用いられる。
【００３１】
出力部２４は、編集後の画像データｄ１を含む映像信号ｓ２を投影部３０に出力する。映像信号ｓ２は、例えば、規格化されたＨＤＭＩ（登録商標：Ｈｉｇｈ  Ｄｅｆｉｎｉｔｉｏｎ  Ｍｕｌｔｉｍｅｄｉａ  Ｉｎｔｅｒｆａｃｅ）信号である。この映像信号ｓ２に基づいて、投影部３０は、編集後の画像Ｍ１（図４の（ｄ）参照）を投影可能領域Ｚ１内に投影する。この映像投影システム１では、このように編集前の画像Ｍ１および編集後の画像Ｍ１を順に投影することで、照明光が変化する状態を簡易に作り出すことができる。
【００３２】
ここで映像投影システム１の他の例として、映像投影システム１を用いて複数の画像Ｍ１、Ｍ２、Ｍ３およびＭ４を投影する例について説明する。
【００３３】
図５は、映像投影システム１の投影部３０から投影される画像Ｍ１〜Ｍ４の一例を示す図である。図６は、映像生成部２０にて画像データｄ１、ｄ２、ｄ３、ｄ４が編集される様子を模式的に示す図である。図７は、映像生成部２０にて処理される画像データｄ１〜ｄ４の制御パラメータを示す図である。
【００３４】
図５には、小円からなる画像Ｍ１、半円からなる画像Ｍ２、渦巻き形状からなる画像Ｍ３および複数の円からなる画像Ｍ４が示されている。
【００３５】
図６の（ａ）には、記憶部２２に記憶されている画像データｄ０〜ｄ４が示されている。画像データｄ０は、投影可能領域Ｚ１に対応する下地データであり、画像データｄ１〜ｄ４は、画像Ｍ１〜Ｍ４に１対１で対応するパターンデータである。なお、記憶部２２には、各画像データｄ０〜ｄ４の現在の制御パラメータと、各画像データｄ０〜ｄ４の識別アドレスとが紐づけて記憶されている。
【００３６】
各画像データｄ０〜ｄ４の制御パラメータは、照明制御信号ｓ１に含まれる各制御パラメータｐ０、ｐ１、ｐ２、ｐ３、ｐ４によって変更される。照明制御信号ｓ１には、各画像データｄ０〜ｄ４のアドレス、および、変更後の制御パラメータｐ０〜ｐ４に関する情報が含まれている。これにより編集部２３は、各画像データｄ０〜ｄ４と、各制御パラメータｐ０〜ｐ４とを１対１で対応させて編集することができる。
【００３７】
各制御パラメータｐ０〜ｐ４は、ＤＭＸ（登録商標）規格によって定められている。具体的には各制御パラメータｐ０〜ｐ４として、図７に示すＤｉｍｍｅｒ（明るさ）、Ｐｏｓｉｔｉｏｎ（位置）、Ｇｏｂｏ（模様）、Ｃｏｌｏｕｒ（色）、Ｂｅａｍ（点滅）、Ｆｏｃｕｓ（鮮明度）、Ｃｏｎｔｒｌ（制御）、Ｓｈａｐｅｒ（形）などが定められている。なお、画像データｄ０は、下地データであるので、色、明るさ、模様などの制御パラメータは変更されなくてもよい。
【００３８】
編集部２３は、図６の（ｂ）に示すように、照明制御信号ｓ１に含まれる各制御パラメータｐ０〜ｐ４に基づいて、各画像データｄ０〜ｄ４の制御パラメータを変更する。これにより、編集部２３は、各画像データｄ０〜ｄ４のそれぞれを編集し、編集後の各画像データｄ０〜ｄ４を生成する。その後、編集部２３は、図６の（ｃ）に示すように、編集後の画像データｄ０〜ｄ４を合成して１枚の合成画像データｃ１を作成する。以下、照明制御信号ｓ１を受け付けるごとに、編集部２３は、合成画像データｃ２、ｃ３を順次作成する。
【００３９】
出力部２４は、これらの合成画像データｃ１〜ｃ３を順に含む映像信号ｓ２を投影部３０に出力する。これにより、映像投影システム１は、簡易に映像を生成して投影することができる。
【００４０】
［１−２．効果等］
上述したように、本実施の形態に係る映像投影システム１は、映像を生成する映像生成部２０、および、映像を投影する投影部３０を備える。映像生成部２０は、投影部３０の投影可能領域Ｚ１内に位置する画像Ｍ１に対応する画像データｄ１を記憶する記憶部２２と、画像データｄ１の制御パラメータを含む照明制御信号ｓ１を受け付ける受付部２１と、照明制御信号ｓ１に基づいて画像データｄ１を編集することで、編集後の画像データｄ１を生成する編集部２３と、編集後の画像データｄ１を含む映像信号ｓ２を投影部３０に出力する出力部２４とを備える。
【００４１】
このように、映像生成部２０が、照明制御信号ｓ１に基づいて画像データｄ１を編集し、編集後の画像データｄ１を含む映像信号ｓ２を投影部３０に出力することで、例えば映像データを初めから作成する場合に比べて、簡易に映像を生成し、投影することができる。
【００４２】
また、上記制御パラメータは、画像Ｍ１の投影位置、色および明るさに関する情報を含んでいてもよい。
【００４３】
これによれば、映像生成部２０は、画像Ｍ１の投影位置、色および明るさを簡易に変更することができる。これにより、上記制御パラメータを含む照明制御信号ｓ１に基づいてタイムリーに映像を生成し、投影することができる。
【００４４】
また、受付部２１は、照明制御信号ｓ１として、規格化されたＤＭＸ（登録商標）信号を受け付けてもよい。
【００４５】
これによれば、映像生成部２０は、ＤＭＸ（登録商標）信号に基づいて簡易に画像データｄ１を編集することができる。これにより、簡易に映像を生成することができる。
【００４６】
また、出力部２４は、映像信号ｓ２として、規格化されたＨＤＭＩ（登録商標）信号を出力してもよい。
【００４７】
これによれば、映像生成部２０は、ＨＤＭＩ（登録商標）信号に基づいて簡易に画像データｄ１を出力することができる。これにより、簡易に映像を投影することができる。
【００４８】
また、編集部２３は、編集後の画像データｄ１を記憶部２２に記憶させてもよい。
【００４９】
これによれば、映像生成部２０は、編集後の画像データｄ１を用いて簡易に画像データｄ１の制御パラメータを変更することができる。これにより、照明制御信号ｓ１に基づいてタイムリーに映像を生成し、投影することができる。
【００５０】
また、投影部３０は、第１の筐体５１に設けられ、映像生成部２０は、第１の筐体５１と異なる第２の筐体５２に設けられていてもよい。
【００５１】
これによれば、投影部３０と映像生成部２０とが別体で構成されるので、例えば、映像生成部２０を舞台から見えない所に配置することができる。また、例えば、映像投影システム１が複数の投影部３０を備える場合に、複数の投影部３０に出力する各画像データを１つの映像生成部２０にて生成することができる。これにより、複数の投影部３０から投影される各画像を簡易に連動させることができる。
【００５２】
また、記憶部２２は、複数の画像データｄ１〜ｄ４を記憶し、受付部２１は、複数の画像データｄ１〜ｄ４の制御パラメータｐ１〜ｐ４を含む照明制御信号ｓ１を受け付け、編集部２３は、照明制御信号ｓ１に基づいて複数の編集後の画像データｄ１〜ｄ４を生成した後、複数の編集後の画像データｄ１〜ｄ４を合成することで合成画像データｃ１を生成し、出力部２４は、合成画像データｃ１を含む映像信号ｓ２を投影部３０に出力してもよい。
【００５３】
このように、映像生成部２０が、照明制御信号ｓ１に基づいて複数の編集後の画像データｄ１〜ｄ４から合成画像データｃ１を生成することで、例えば複数の映像データを初めから作成する場合に比べて、簡易に映像を生成し、投影することができる。
【００５４】
本実施の形態に係る映像生成装置（映像生成部２０）は、投影装置（投影部３０）で投影する映像を生成する映像生成装置であって、投影装置の投影可能領域Ｚ１内に位置する画像Ｍ１に対応する画像データｄ１を記憶する記憶部２２と、画像データｄ１の制御パラメータを含む照明制御信号ｓ１を受け付ける受付部２１と、照明制御信号ｓ１に基づいて画像データｄ１を編集することで、編集後の画像データｄ１を生成する編集部２３と、編集後の画像データｄ１を含む映像信号ｓ２を投影装置に出力する出力部２４とを備える。
【００５５】
このように、映像生成装置が、照明制御信号ｓ１に基づいて画像データｄ１を編集し、編集後の画像データｄ１を含む映像信号ｓ２を投影装置に出力することで、例えば映像データを初めから作成する場合に比べて、簡易に映像を生成することができる。
【００５６】
［１−３．実施の形態１の変形例］
次に、実施の形態１の変形例に係る映像投影システム１について、図８を参照しながら説明する。
【００５７】
図８は、変形例に係る映像投影システム１を示す概略図である。
【００５８】
変形例に係る映像投影システム１では、映像生成部２０および投影部３０が、１つの筐体５３内に設けられている。映像生成部２０は、イーサネット（登録商標）によって操作装置１０に接続され、映像生成部２０および投影部３０は、ＨＤＭＩ（登録商標）規格で定められた接続形態によって互いに接続されている。その他の構成は、実施の形態１と同じである。
【００５９】
変形例に映像投影システム１においても、実施の形態１と同様に、簡易に映像を生成して投影することができる。
【００６０】
また、変形例の映像投影システム１では、投影部３０および映像生成部２０が、１つの筐体５３に設けられている。
【００６１】
この構成によれば、映像投影システム１を小型化することができる。これにより、映像投影システム１内においてデータの送受信の応答性を上げることができ、タイムリーに映像を投影することができる。
【００６２】
（実施の形態２）
次に、実施の形態２に係る映像投影システム１Ａの構成について、図９および図１０を参照しながら説明する。
【００６３】
図９は、実施の形態２に係る映像投影システム１Ａを示す概略図である。図１０は、映像投影システム１Ａを示すブロック図である。
【００６４】
実施の形態２では、投影部が、複数の投影部３０ａ、３０ｂ、３０ｃ、３０ｄによって構成されている。また、操作装置１０が、映像投影システム１Ａに包含されている。すなわち図９および図１０に示すように、映像投影システム１Ａは、操作装置１０、映像生成部２０および複数の投影部３０ａ〜３０ｄを備えている。
【００６５】
映像生成部２０は、イーサネット（登録商標）Ｎによって操作装置１０に接続されている。また、映像生成部２０と各投影部３０ａ〜３０ｄとは、複数の通信ケーブル４０によって接続されている。
【００６６】
操作装置１０は、映像投影システム１にて投影する画像Ｍ１〜Ｍ４の態様を操作する装置である。操作装置１０は、操作バーでユーザの操作入力を受け付けると、画像Ｍ１〜Ｍ４を調整する信号を含む照明制御信号ｓ１を映像生成部２０に送信する。照明制御信号ｓ１には、画像Ｍ１〜Ｍ４の位置、明るさ、色など、画像を変化させるための制御パラメータが含まれている。
【００６７】
映像生成部２０は、操作装置１０から送信された照明制御信号ｓ１に基づいて各画像データｄ１〜ｄ４を編集し、編集後の各画像データｄ１〜ｄ４を含む各映像信号ｓ２を各投影部３０ａ〜３０ｄに出力する。
【００６８】
投影部３０ａ〜３０ｄは、投影対象に映像（画像）を投影する投影装置である。各映像信号ｓ２が各投影部３０ａ〜３０ｄに入力されると、各映像信号ｓ２に応じた画像Ｍ１〜Ｍ４が投影対象に投射される。
【００６９】
なお、図９では、各投影部３０ａ〜３０ｄの投影可能領域Ｚ１が同じになっているが、それに限られず、各投影部３０ａ〜３０ｄの投影可能領域Ｚ１は異なっていてもよい。
【００７０】
実施の形態２に係る映像投影システム１Ａにおいても、実施の形態１と同様に、簡易に映像を生成して投影することができる。
【００７１】
また、映像投影システム１Ａは、さらに、照明制御信号ｓ１を受付部２１に送信する操作装置１０を備えていてもよい。
【００７２】
このように映像投影システム１Ａが、操作装置１０を備えることで、照明制御信号ｓ１をタイムリーに映像生成部２０に送信することができる。これにより、タイムリーに映像を生成し、投影することができる。
【００７３】
次に、実施の形態２の変形例に係る映像投影システム１Ｂの構成について、図１１を参照しながら説明する。
【００７４】
図１１は、実施の形態２の変形例に係る映像投影システム１Ｂを示す概略図である。
【００７５】
変形例の映像投影システム１Ｂは、さらに、照明器具６０を備えている。
【００７６】
すなわち図１１に示すように、映像投影システム１Ｂは、操作装置１０、映像生成部２０、複数の投影部３０ａ〜３０ｄおよび照明器具６０を備えている。
【００７７】
照明器具６０は、例えば、ムービングライトであり、イーサネット（登録商標）によって映像生成部２０および操作装置１０に接続されている。操作装置１０にて操作入力された照明制御信号ｓ１は、映像生成部２０を介して照明器具６０に出力される。照明器具６０は、照明制御信号ｓ１を受け付け、この照明制御信号ｓ１に基づいて投影対象に照明光を照射する。この映像投影システム１Ｂでは、投影部３０ａ〜３０ｄと照明器具６０とを協同させて演出を行うことができる。
【００７８】
（その他の実施の形態）
以上、本発明について、実施の形態に基づいて説明したが、本発明は、上記映像投影システム及び映像投影システムの設定方法に限定されるものではない。
【００７９】
例えば、上記各実施の形態では、画像Ｍ１の領域が投影可能領域Ｚ１よりも小さくなっているが、それに限られず、画像Ｍ１の領域は投影可能領域Ｚ１と同じであってもよい。
【００８０】
例えば、上記各実施の形態の映像投影システムにて投影される画像は、静止画に限られず動画であってもよいし、図形に限られず文字または記号であってもよい。
【００８１】
その他、実施の形態に対して当業者が思いつく各種変形を施して得られる形態、本発明の趣旨を逸脱しない範囲で実施の形態における構成要素及び機能を任意に組み合わせることで実現される形態も本発明に含まれる。
【符号の説明】
【００８２】
１、１Ａ、１Ｂ  映像投影システム
１０    操作装置
２０    映像生成部（映像生成装置）
２１    受付部
２２    記憶部
２３    編集部
２４    出力部
３０、３０ａ、３０ｂ、３０ｄ、３０ｃ  投影部（投影装置）
５１、５２、５３  筐体
ｄ０、ｄ１、ｄ２、ｄ３、ｄ４  画像データ
ｃ１、ｃ２、ｃ３  合成画像データ
Ｍ１、Ｍ２、Ｍ３、Ｍ４  画像
ｐ０、ｐ１、ｐ２、ｐ３、ｐ４  制御パラメータ
ｓ１    照明制御信号
ｓ２    映像信号
Ｚ１    投影可能領域
【図１】
2020162077.tif 000003
【図２】
2020162077.tif 000004
【図３】
2020162077.tif 000005
【図４】
2020162077.tif 000006
【図５】
2020162077.tif 000007
【図６】
2020162077.tif 000008
【図７】
2020162077.tif 000009
【図８】
2020162077.tif 000010
【図９】
2020162077.tif 000011
【図１０】
2020162077.tif 000012
【図１１】
2020162077.tif 000013